(57)【特許請求の範囲】
【請求項１】
一端に被係合部および端子部を有するケーブルにおける該端子部に対し電気的に接続されるコンタクト端子を有し、該ケーブルの一端におけるコンタクト端子に対する相対位置を位置決めするとともに該ケーブルの一端を収容するケーブル収容部と、
挿入された前記ケーブルにおける端子部が形成される面に対し垂直方向に沿って移動可能に前記ケーブル収容部に配され、操作部と、該操作部の両側にそれぞれ離隔して一体に形成され前記ケーブル収容部内に挿入された前記ケーブルの被係合部の端面に係合または非係合状態になる一対の係止部と、該係止部相互間に該ケーブルの一端が通過する開口部とを有するストッパ部材と、
前記ストッパ部材に一端が固定され、該ストッパ部材の係止部の端面を前記開口部を通過した前記ケーブルの被係合部の端面に係合させるように前記ケーブルにおける端子部が形成される面に対し垂直方向に該ストッパ部材の係止部を付勢する付勢部材と、を備え、
前記ストッパ部材の操作部が前記付勢部材の付勢力に抗して押圧されることにより、前記ストッパ部材の一対の係止部が前記端子部が形成される面に垂直方向に沿って前記ケーブルの被係合部の端面に対し離隔される場合、前記一対の係止部が前記ケーブル収容部内に挿入された前記ケーブルの被係合部の端面に対し非係合状態となることを特徴とするケーブル用コネクタ。
【請求項２】
前記付勢部材の付勢力によるストッパ部材の移動量を規制する規制部材が、さらに備えられることを特徴とする請求項１記載のケーブル用コネクタ。
【請求項３】
前記付勢部材は、一端が前記ストッパ部材に支持され、他端が前記ケーブル収容部の周辺に支持される板ばねであることを特徴とする請求項１記載のケーブル用コネクタ。
【請求項４】
前記ケーブルは、フレキシブル配線基板であることを特徴とする請求項１記載のケーブル用コネクタ。
【請求項５】
前記ケーブルの一端の被係合部は、裏板に形成される段差部であることを特徴とする請求項１記載のケーブル用コネクタ。
【請求項６】
前記ケーブルの一端の被係合部と、前記ストッパ部材と、前記付勢部材とにより、該ケーブルの端子部の前記ケーブル収容部のコンタクト端子に対する選択的な接続を行うロック／アンロック機構が形成されることを特徴とする請求項２記載のケーブル用コネクタ。
【発明の詳細な説明】
【０００１】
【発明の属する技術分野】
本発明は、ケーブルの一端を配線基板に電気的に接続するケーブル用コネクタに関する。
【０００２】
【従来の技術】
電子機器内部における電装部品相互間の電気的接続を行うにあたり、ケーブル用コネクタが実用に供されている。ケーブル用コネクタは、例えば、フラットケーブル（ＦＦＣ）、または、フレキシブル配線基板（ＦＰＣ；flexible printed circuit）を介してプリント配線基板に電装品を電気的に接続するものとされる。ケーブル用コネクタは、ケーブルの固定方法が互いに異なる例えば、ロータリ式あるいはスライド式が実用に供されている。ロータリ式のケーブル用コネクタは、例えば、図２１（Ａ）、図２１（Ｂ）にも示されるように、プリント配線基板２上に配されケーブル収容部１２を有するコネクタ本体部４と、コネクタ本体部４におけるケーブル収容部１２に設けられプリント配線基板２の電極部とフレキシブル配線基板６の端子部６Ｅとを電気的に接続する複数のコンタクト端子１０ａｉ（ｉ＝１〜ｎ，ｎは整数）と、コネクタ本体部４に対し回動可能に支持されフレキシブル配線基板６の端子部のコンタクト端子１０ａｉの接点部に対する着脱を行うストッパ部材８とを含んで構成されている。
【０００３】
コネクタ本体部４は、一方の端部に接続されるべきフレキシブル配線基板６の端子部が通過する挿入口１４を有している。その挿入口１４は、コネクタ本体部４の内部に形成されるケーブル収容部１２に連通している。ケーブル収容部１２は、コネクタ本体部４の内壁により囲まれ形成されている。ケーブル収容部１２におけるプリント配線基板２に対向する底部は、開口している。コネクタ本体部４のケーブル収容部１２の上部を形成する部分には、ストッパ部材８の基端部の両端がそれぞれ回動可能に支持されている。ストッパ部材８は、ケーブル収容部１２に対向する部分にフレキシブル配線基板６の裏板部６Ｂに当接しつつ裏板部６Ｂを後述するコンタクト端子１０ａｉの接点部に向けて押圧する押圧面部８ａを有している。
【０００４】
複数のコンタクト端子１０ａｉは、フレキシブル配線基板６の端子部６Ｅの配列に対応してケーブル収容部１２内に配列されている。各コンタクト端子１０ａｉは、プリント配線基板２の端子部に半田付固定される固定端子部１０Ｓと、二股状に形成されるストッパ部１０Ｂおよび可動端子部１０Ａと、固定端子部１０Ｓとストッパ部１０Ｂおよび可動端子部１０Ａの合流部とを連結する連結部１０Ｃとを含んで構成されている。
【０００５】
各コンタクト端子１０ａｉのストッパ部１０Ｂの先端は、ストッパ部材８の凹部に臨むように配置されている。これにより、図２１（Ａ）に示されるように、ストッパ部材８の先端がケーブル収容部１２に対し離隔状態となるとき、即ち、アンロック状態となるとき、ストッパ部１０Ｂの先端は、ストッパ部材８の凹部に係合しストッパ部材８の開き角度を規制することとなる。
【０００６】
可動端子部１０Ａは、先端にフレキシブル配線基板６の端子部６Ｅに電気的に接続される接点部を有している。
【０００７】
連結部１０Ｃは、その突起部がコネクタ本体部４のケーブル収容部１２に隣接して形成されるスリットに圧入されることにより、コネクタ本体部４に固定されている。
【０００８】
かかる構成において、フレキシブル配線基板６の端子部６Ｅを各コンタクト端子１０ａｉの接点部に電気的に接続するにあたっては、図２１（Ａ）に示されるように、挿入口１４を通じてフレキシブル配線基板６の端子部６Ｅがケーブル収容部１２の後方側を形成する後部壁部４ａ近傍位置まで矢印Ｆの示す方向に沿って挿入された後、ストッパ部材８の先端が矢印Ｌの示す方向に回動される。従って、フレキシブル配線基板６の端子部６Ｅは、ストッパ部材８の押圧面８ａによりコンタクト端子１０ａｉの可動端子部１０Ａの接点部に対し押圧され電気的に接続されることとなる。その際、フレキシブル配線基板６の端子部６Ｅは、ストッパ部材８の押圧面８ａと弾性変位した各コンタクト端子１０ａｉの可動端子部１０Ａとにより挟持されることとなる。
【０００９】
スライド式のケーブル用コネクタは、例えば、図２２（Ａ）および図２２（Ｂ）にも示されるように、プリント配線基板２上に配されケーブル収容部１６を有するコネクタ本体部１８と、コネクタ本体部１８におけるケーブル収容部１６に設けられプリント配線基板２の電極部とフレキシブル配線基板６の端子部６Ｅとを電気的に接続する複数のコンタクト端子２０ａｉ（ｉ＝１〜ｎ，ｎは整数）と、コネクタ本体部１８に対し摺動可能に支持されフレキシブル配線基板６の端子部６Ｅのコンタクト端子２０ａｉの接点部に対する着脱を行うストッパ部材２２とを含んで構成されている。
【００１０】
コネクタ本体部１８は、接続されるべきフレキシブル配線基板６の端子部６Ｅが通過する挿入口２４を一方の端部に有している。その挿入口２４は、コネクタ本体部１８の内部に形成されるケーブル収容部１６に連通している。コネクタ本体部１８のケーブル収容部１６は、コネクタ本体部１８の内壁により囲まれ形成されている。コネクタ本体部１８のケーブル収容部１６の上部を形成する部分の内側には、ストッパ部材２２の両端部がそれぞれ摺動可能に支持する案内溝１８ｇがフレキシブル配線基板６の着脱方向に沿って形成されている。ストッパ部材２２は、フレキシブル配線基板６の裏板部６Ｂに摺接しつつ裏板部６Ｂを後述するコンタクト端子２０ａｉの接点部に向けて押圧する押圧面部２２ａを、ケーブル収容部１６に対向する部分に有している。
【００１１】
ストッパ部材２２における押圧面部２２ａに対向する部分には、その中間部に斜面部２２ｓを有する案内面２２ｂがその中間部に形成されている。
【００１２】
複数のコンタクト端子２０ａｉは、フレキシブル配線基板６の端子部６Ｅの配列に対応してケーブル収容部１６内に配列されている。各コンタクト端子２０ａｉは、プリント配線基板２の端子部に半田付固定される固定端子部２０Ｓと、二股状に形成される案内片部２０Ｂおよび可動端子部２０Ａと、固定端子部２０Ｓと案内片部２０Ｂおよび可動端子部２０Ａの合流部とを連結する連結部２０Ｃとを含んで構成されている。
【００１３】
各コンタクト端子２０ａｉの案内片部２０Ｂの先端は、ストッパ部材２２の案内面２２ｂに臨むように配置されている。可動端子部２０Ａは、先端にフレキシブル配線基板６の端子部６Ｅに電気的に接続される接点部を有している。
【００１４】
連結部２０Ｃは、その突起部がコネクタ本体部１８のケーブル収容部１６に隣接して形成されるスリットに圧入されることにより、コネクタ本体部１８に固定されている。
【００１５】
これにより、図２２（Ａ）に示されるように、ストッパ部材２２の斜面部２２ｓがケーブル収容部１６に対し離隔状態となるとき、即ち、アンロック状態となるとき、案内片部２０Ｂの斜面部２２ｓは、案内片部２０Ｂに対し離隔し非係合状態となる。従って、フレキシブル配線基板６の端子部６Ｅがケーブル収容部１６内に挿入可能とされる。
【００１６】
かかる構成において、フレキシブル配線基板６の端子部６Ｅを各コンタクト端子２０ａｉの接点部に電気的に接続するにあたっては、図２２（Ａ）に示されるように、ストッパ部材２２の斜面部２２ｓがケーブル収容部１６に対し離隔状態となるとき、挿入口２４を通じてフレキシブル配線基板６の端子部６Ｅがケーブル収容部１６の後方側を形成する後部壁部１８ａ近傍位置まで矢印Ｆの示す方向に沿って挿入された後、ストッパ部材２２の先端が矢印Ｌの示す方向に沿って摺動される。従って、フレキシブル配線基板６の端子部６Ｅは、ストッパ部材２２の押圧面部２２ａによりコンタクト端子２０ａｉの可動端子部２０Ａの接点部に対し押圧され電気的に接続されることとなる。
【００１７】
その際、フレキシブル配線基板６の端子部６Ｅは、ストッパ部材２２の押圧面部２２ａと弾性変位した各コンタクト端子２０ａｉの可動端子部２０Ａとにより挟持されることとなる。
【００１８】
【発明が解決しようとする課題】
上述のようなロータリ式あるいはスライド式のケーブル用コネクタにおいては、例えば、フレキシブル配線基板６の端子部６Ｅが各コンタクト端子１０ａｉまたは２０ａｉの可動端子部に対し保持される直前、端子部６Ｅは、図２１（Ａ）、および、図２２（Ａ）に二点鎖線示される位置から実線で示される位置までその相互間の摩擦力により移動せしめられる。従って、端子部６Ｅと各コンタクト端子１０ａｉまたは２０ａｉの可動端子部の接点部との電気的な接続が不確実となる虞があるとともに、フレキシブル配線基板６の端面が後部壁部４ａおよび１８ａに衝突しないようにフレキシブル配線基板６の他端を保持するか、あるいは、フレキシブル配線基板６の端面が後部壁部４ａおよび１８ａに当接された状態でストッパ部材８および２２が操作されることが要求されることとなる。
【００１９】
また、ストッパ部材８および２２の操作により、その端子部６Ｅが各コンタクト端子の可動端子部の接点部に確実に接続されたか否かの判断が容易でない。
【００２０】
さらに、図２１（Ａ）、および、図２２（Ａ）に示される矢印Ｆの示す方向とは逆方向にフレキシブル配線基板６の他端に何らかの負荷が所定値以上作用した場合、ストッパ部材８および２２が回動、または摺動せしめられることにより、フレキシブル配線基板６の端子部６Ｅの電気的接続が不確実となる虞もある。
【００２１】
以上の問題点を考慮し、本発明は、ケーブルの一端を配線基板に電気的に接続するケーブル用コネクタであって、ケーブルの着脱操作を確実にかつ容易に行なうことができ、しかも、ケーブルに不所望な負荷が作用した場合であっても電気的接続が不確実となる事態を回避することができるケーブル用コネクタを提供することを目的とする。
【００２２】
【課題を解決するための手段】
上述の目的を達成するために、本発明に係るケーブル用コネクタは、一端に被係合部および端子部を有するケーブルにおける端子部に対し電気的に接続されるコンタクト端子を有し、ケーブルの一端におけるコンタクト端子に対する相対位置を位置決めするとともにケーブルの一端を収容するケーブル収容部と、挿入されたケーブルにおける端子部が形成される面に対し垂直方向に沿って移動可能にケーブル収容部に配され、操作部と、操作部の両側にそれぞれ離隔して一体に形成されケーブル収容部内に挿入されたケーブルの被係合部の端面に係合または非係合状態になる一対の係止部と、係止部相互間にケーブルの一端が通過する開口部とを有するストッパ部材と、ストッパ部材に一端が固定され、ストッパ部材の係止部の端面を開口部を通過したケーブルの被係合部の端面に係合させるようにケーブルにおける端子部が形成される面に対し垂直方向にストッパ部材の係止部を付勢する付勢部材と、を備え、ストッパ部材の操作部が付勢部材の付勢力に抗して押圧されることにより、ストッパ部材の一対の係止部が端子部が形成される面に垂直方向に沿ってケーブルの被係合部の端面に対し離隔される場合、一対の係止部がケーブル収容部内に挿入されたケーブルの被係合部の端面に対し非係合状態となることを特徴とする。
【００２３】
また、本発明に係るケーブル用コネクタは、付勢部材の付勢力によるストッパ部材の移動量を規制する規制部材が、さらに備えられてもよい。付勢部材は、一端がストッパ部材に支持され、他端が前記ケーブル収容部の周辺に支持される板ばねであってもよい。ケーブルは、フレキシブル配線基板であってもよい。ケーブルの一端の被係合部は、裏板に形成される段差部であってもよい。ケーブルの一端の被係合部と、ストッパ部材と、付勢部材とにより、ケーブルの端子部のケーブル収容部のコンタクト端子に対する選択的な接続を行うロック／アンロック機構が形成されてもよい。
【００２４】
【発明の実施の形態】
図１０および図１１は、本発明に係るケーブル用コネクタの一例の全体構成を、それに用いられるケーブルとともに示す。
【００２５】
図１０において、ケーブル用コネクタ３０に電気的に接続されるケーブルの一端は、図１０および図１１に示される矢印が示す着脱方向に沿ってケーブル用コネクタ３０に挿入され、また、ケーブル用コネクタ３０から取り外されるものとされる。ケーブルは、例えば、フレキシブル配線板３２とされる。フレキシブル配線板３２は、例えば、ＹＦＬＥＸ（登録商標）と称され、保護層に覆われた複数の導電層が絶縁性基材上に形成された構成とされる。絶縁性基材は、例えば、厚さ５０μｍ程度のガラスエポキシ樹脂、ポリイミド（ＰＩ）、ポリエチレンテレフタレート（ＰＥＴ）、あるいは、（ＰＥＩ）で成形されている。また、導電層は、例えば、厚さ１２μｍ程度の銅合金の層で形成されている。保護層は、例えば、熱硬化型のレジスト層、あるいは、ポリイミドフィルムにより形成されている。
【００２６】
フレキシブル配線板３２において接続される一端の一方の表面には、図１０および図２０（Ａ）、（Ｂ）に示されるように、裏板３４が設けられている。板状の裏板３４は、例えば、ポリブチレンテレフタレート（ＰＢＴ）で所定の厚さに作られている。裏板３４は、フレキシブル配線板３２の着脱を容易にするために操作部３４Ｐを有している。裏板３４の先端の前縁には、図１１に示されるように、所定の面取り３４ｂが形成されている。また、裏板３４の先端における両側部には、それぞれ、被係合部としての段差部３４ａが形成されている。
【００２７】
フレキシブル配線板３２の一端の他方の表面には、図２０（Ａ）および（Ｂ）に示されるように、例えば、幅０.３ｍｍの複数の電極により構成される電極群３２Ｅが形成されている。各電極は、例えば、約０.５ｍｍの相互間隔で形成されている。電極群３２Ｅは、フレキシブル配線板３２の内部の導電層に電気的に接続されている。
【００２８】
ケーブル用コネクタ３０は、図１３および図１５に示されるように、所定の配線基板３６上に固定され、フレキシブル配線板３２の一端が選択的に収容されるケーブル収容部４０を有するコネクタ本体部３８と、図１５の矢印Ｚの示す方向に沿ってコネクタ本体部３８に昇降動可能に配され後述するロック／アンロック機構の一部を構成するストッパ部材４４と、ケーブル収容部４０内に配されフレキシブル配線板３２の電極群３２Ｅと配線基板３６の導体層とを電気的に接続する複数のコンタクト端子４２ａｉ（ｉ＝１〜ｎ，ｎは整数）と、ストッパ部材４４のコネクタ本体部３８に対する最上端位置を規制するプレート部材４６とを主な要素として含んで構成されている。
【００２９】
コネクタ本体部３８は、フレキシブル配線板３２の電極群３２Ｅおよび裏板３４が通過する細長い開口部３８ａが一方の端部に形成されている。開口部３８ａの周縁部の一部には、ストッパ部材４４の操作部の一部が挿入される切欠部３８ｂが形成されている。切欠部３８ｂは、ケーブル収容部４０の上部に位置する開口部３８ｃに連通している。開口部３８ａの両端部は、それぞれ、ケーブル収容部４０の内周壁に形成される案内溝３８ｇｃに連通している。案内溝３８ｇｃは、図１５に示されるように、フレキシブル配線板３２の裏板３４を案内するものとされ、コネクタ本体部３８の背面側に向けて所定の長さだけ延在している。
【００３０】
開口部３８ａの両側部の周縁には、ストッパ部材４４に設けられる板ばね４８Ａおよび４８Ｂがそれぞれ挿入される透孔３８Ｒおよび３８Ｌが形成されている。透孔３８Ｒおよび３８Ｌは、ケーブル収容部４０内に連通している。透孔３８Ｒおよび３８Ｌを形成する壁部の底部には、それぞれ、その板ばね４８Ａおよび４８Ｂの一端が圧入される溝３８ｇが形成されている。
【００３１】
コネクタ本体部３８のケーブル収容部４０の両側端部をそれぞれ形成する壁部の外周部には、図１２および図１４に示されるように、プレート部材４６の両端部に形成される脚部が圧入される縦溝３８ＧＡおよび３８ＧＢが形成されている。
【００３２】
コネクタ本体部３８の背面部を形成する壁部には、各コンタクト端子４２ａｉの連結部４２Ｃが圧入されるスリットが形成されている。各スリットは、所定の相互間隔でコネクタ本体部３８の長手方向に沿って形成され、ケーブル収容部４０内に連通している。
【００３３】
各コンタクト端子４２ａｉは、図１５に示されるように、半田付け固定により、配線基板３６の導電層としての電極パッドに電気的に接続される半田付固定部４２Ｓと、フレキシブル配線板３２の電極群３２Ｅに電気的に接続される接点部４２ａを有する可動接点部４２Ａと、コネクタ本体部３８のスリットに連通する溝３８ｄに圧入される基部４２Ｂと、可動接点部４２Ａおよび基部４２Ｂと半田付固定部４２Ｓとを連結する連結部４２Ｃとを含んで構成される。
【００３４】
基部４２Ｂにおける上述のスリット内に突出する一端部は、可動接点部４２Ａの一端および連結部４２Ｃの一端に連結されている。
【００３５】
弾性を有する可動接点部４２Ａにおいて基部４２Ｂに連結される部分は、屈曲され連結部４２Ｃに対し所定の間隔をもって形成されている。これにより、可動接点部４２Ａの接点部４２ａおよびケーブル収容部４０の上部を形成する内壁と、一対の案内溝３８ｇｃとにより、挿入されたフレキシブル配線板３２の電極群３２Ｅおよび裏板３４が挟持されることとなる。
【００３６】
コネクタ本体部３８の外周部の上部に配されるプレート部材４６は、コネクタ本体部３８の外周部の上部に載置される平坦部と、平坦部の両側にそれぞれ連なり屈曲して形成される脚部４６Ｌとを有している。各脚部４６Ｌは、図１２に示されるように、コネクタ本体部３８の縦溝３８ＧＡおよび３８ＧＢにそれぞれ圧入され支持されている。
【００３７】
プレート部材４６の平坦部の両側端におけるストッパ部材４４に対向する部分には、ストッパ部材４４の一部を位置規制する位置規制部４６Ｒが形成されている。その位置規制部４６Ｒ相互間は、後述するストッパ部材４４の上部が配されるように開口部３８ｃに対応して切り欠かれている。
【００３８】
ストッパ部材４４は、図３および図４に示されるように、選択的に押圧操作される操作部４４Ｍと、操作部４４Ｍの係止部４４ＡＬおよび４４ＢＬにそれぞれ設けられる板ばね４８Ａおよび４８Ｂとを含んで構成されている。
【００３９】
操作部４４Ｍの係止部４４ＡＬおよび４４ＢＬは、その両端部からそれぞれケーブル収容部４０内に向けて突出している。係止部４４ＡＬおよび４４ＢＬの上端面は、上述のプレート部材４６の位置規制部４６Ｒの内面に当接するものとされる。
【００４０】
係止部４４ＡＬと係止部４４ＢＬとの間には、フレキシブル配線板３２の電極群３２Ｅおよび裏板３４が通過する空間４４ａが形成されている。
【００４１】
係止部４４ＡＬおよび係止部４４ＢＬにおいて、空間４４ａを挟んで互いに対向する内面部には、所定の勾配を有する斜面部４４Ｓが形成されている。斜面部４４Ｓの断面形状は、フレキシブル配線板３２の電極群３２Ｅおよび裏板３４が図３に示される矢印の示す方向に沿って空間４４ａを通過するとき、裏板３４の先端を円滑に移動させるように右斜め上がり状態に形成されている。
【００４２】
係止部４４ＡＬおよび係止部４４ＢＬの下端面部には、それぞれ、付勢部材としての板ばね４８Ａおよび４８Ｂの一端が固定されている。
【００４３】
弾性を有する金属製の板ばね４８Ａおよび４８Ｂは、それぞれ、略馬蹄形状の曲がり部を中間部分に有するとともに、透孔の周縁に形成される溝３８ｇに圧入される他端に固定部を有している。なお、板ばね４８Ａおよび４８Ｂは、金属製に限られることなく、例えば、樹脂等によりストッパ部材４４と一体に成形されてもよい。
【００４４】
従って、ストッパ部材４４の操作部４４Ｍは、板ばね４８Ａおよび４８Ｂの弾性力により上述のプレート部材４６に向けて付勢され、位置規制部４６Ｒにより最上端位置で規制されることとなる。また、フレキシブル配線板３２の電極群３２Ｅおよび裏板３４をコネクタ本体部３８に対して選択的に保持するロック／アンロック機構が、ストッパ部材４４、板ばね４８Ａおよび４８Ｂ、および、裏板３４の段差部３４ａにより形成されることとなる。
【００４５】
かかる構成において、フレキシブル配線板３２の電極群３２Ｅおよび裏板３４をコネクタ本体部３８に接続するにあたっては、フレキシブル配線板３２の電極群３２Ｅおよび裏板３４が、図５（Ａ）および（Ｂ）に示されるように、開口部３８ａに対し対向配置された後、図３および図４に示される矢印の示す方向に沿って空間４４ａに向けて図６および図７（Ａ）、（Ｂ）に示されるように、挿入される。
【００４６】
次に、フレキシブル配線板３２の電極群３２Ｅおよび裏板３４が、図８および図９（Ａ）、（Ｂ）に示されるように、さらに挿入されるとき、ストッパ部材４４の操作部４４Ｍは矢印の示す方向に向けて下降せしめられる。
【００４７】
続いて、さらに、フレキシブル配線板３２の電極群３２Ｅおよび裏板３４が、図１および図２（Ａ）、（Ｂ）に示されるように、挿入されるとき、裏板３４の先端が案内溝３８ｇｃの終端部に当接され、かつ、裏板３４の段差部３４ａの端面を係止部４４ＡＬおよび係止部４４ＢＬの端面４４Ｅが摺接せしめられ係合される。
【００４８】
その際、裏板３４は、係止部４４ＡＬおよび係止部４４ＢＬの端面４４Ｅと案内溝３８ｇｃの終端部とにより挟持されることとなる。また、板ばね４８Ａおよび４８Ｂの弾性力により、ストッパ部材４４の操作部４４Ｍは矢印の示す方向に向けて上昇せしめられた後、ストッパ部材４４の操作部４４Ｍの両端が、それぞれ、上述のプレート部材４６の位置規制部４６Ｒの内面に衝突し、例えば、”カチッ”という確認音が発生することとなる。
【００４９】
従って、確実な接続が完了したことが、確認されるとともに、フレキシブル配線板３２の電極群３２Ｅおよび裏板３４は、案内溝３８ｇｃにより位置決めされて位置ずれすることなく、図１５、図１６、および、図１７に示されるように、コネクタ本体部３８のコンタクト端子４２ａｉに電気的に確実に接続されることとなる。
【００５０】
一方、フレキシブル配線板３２の電極群３２Ｅおよび裏板３４をコネクタ本体部３８から取り外すにあたっては、操作部４４Ｍが板ばね４８Ａおよび４８Ｂの弾性力に抗して押圧され、フレキシブル配線板３２の電極群３２Ｅおよび裏板３４が空間４４ａを通じて図３および図４の矢印の方向とは反対方向に、コンタクト端子４２ａｉの弾性力に抗して引き抜かれることにより、フレキシブル配線板３２の電極群３２Ｅおよび裏板３４が、図１０および図１１に示されるように、コネクタ本体部３８から取り外される。
【００５１】
なお、上述の例においては、装着されるフレキシブル配線板３２の電極群３２Ｅの下方側に、接点部４２ａが配されるようにコンタクト端子４２ａｉが設けられているが、斯かる例に限られることなく、装着されるフレキシブル配線板３２の電極群３２Ｅがケーブル収容部４０に対し上向きとなるように挿入されるもとで、接点部が電極群３２Ｅに接触するようにコンタクト端子が設けられても良いことは勿論である。
【００５２】
【発明の効果】
以上の説明から明らかなように、本発明に係るケーブル用コネクタによれば、挿入されたケーブルにおける端子部が形成される面に対し垂直方向に沿って移動可能にケーブル収容部に配され、操作部と、操作部の両側にそれぞれ離隔して一体に形成されケーブル収容部内に挿入されたケーブルの被係合部の端面に係合または非係合状態になる一対の係止部と、係止部相互間にケーブルの一端が通過する開口部とを有するストッパ部材と、ストッパ部材に一端が固定され、ストッパ部材の係止部の端面を開口部を通過したケーブルの被係合部の端面に係合させるようにケーブルにおける端子部が形成される面に対し垂直方向にストッパ部材の係止部を付勢する付勢部材と、を備え、ストッパ部材の操作部が付勢部材の付勢力に抗して押圧されることにより、ストッパ部材の一対の係止部が端子部が形成される面に垂直方向に沿ってケーブルの被係合部の端面に対し離隔される場合、一対の係止部がケーブル収容部内に挿入されたケーブルの被係合部の端面に対し非係合状態となるのでケーブルの着脱操作を確実にかつ容易に行なうことができ、しかも、ケーブルに不所望な負荷が作用した場合であっても電気的接続が不確実となる事態を回避することができる。
【図面の簡単な説明】
【図１】本発明に係るケーブル用コネクタの一例の要部の構成を、接続が完了されたケーブルの一端とともに概略的に示す斜視図である。
【図２】（Ａ）は、図１に示される例において、接続状態におけるストッパ部材とケーブルの一端との構成を示す構成図である。（Ｂ）は、（Ａ）における断面図である。
【図３】図１に示される例において、非接続状態におけるストッパ部材とケーブルの一端との構成を示す斜視図である。
【図４】図１に示される例において、非接続状態におけるストッパ部材とケーブルの一端との構成を示す斜視図である。
【図５】（Ａ）は、図４に示される状態におけるストッパ部材とケーブルの一端との構成を示す構成図である。（Ｂ）は、（Ａ）における断面図である。
【図６】図１に示される例において、ストッパ部材とケーブルの一端との接続における初期の状態を示す斜視図である。
【図７】（Ａ）は、図６に示される状態におけるストッパ部材とケーブルの一端との構成を示す構成図である。（Ｂ）は、（Ａ）における断面図である。
【図８】図１に示される例において、ストッパ部材とケーブルの一端との接続における後期の状態を示す斜視図である。
【図９】（Ａ）は、図８に示される状態におけるストッパ部材とケーブルの一端との構成を示す構成図である。（Ｂ）は、（Ａ）における断面図である。
【図１０】本発明に係るケーブル用コネクタの一例の外観を、接続されるケーブルの一端とともに示す斜視図である。
【図１１】本発明に係るケーブル用コネクタの一例の外観を、接続されるケーブルの一端とともに示す斜視図である。
【図１２】本発明に係るケーブル用コネクタの一例の外観を、接続が完了されたケーブルの一端とともに示す平面図である。
【図１３】図１２に示される例における正面図である。
【図１４】図１２に示される例における側面図である。
【図１５】図１４に示される例における部分断面図である。
【図１６】本発明に係るケーブル用コネクタの一例の外観を、接続が完了されたケーブルの一端とともに示す斜視図である。
【図１７】本発明に係るケーブル用コネクタの一例の外観を、接続が完了されたケーブルの一端とともに示す斜視図である。
【図１８】本発明に係るケーブル用コネクタの一例におけるコネクタ本体の外観を示す斜視図である。
【図１９】図１８に示されるコネクタ本体の底面部の外観を示す斜視図である。
【図２０】（Ａ）は、本発明に係るケーブル用コネクタの一例に用いられるケーブルの一端を示す平面図である。（Ｂ）は、（Ａ）の側面図である。
【図２１】（Ａ）は、従来のロータリ式のケーブル用コネクタの一例においてケーブルの一端がケーブル収容部内に挿入された状態を示す断面図である。（Ｂ）は、（Ａ）に示される例におけるケーブルの一端の接続が完了した状態を示す断面図である。
【図２２】（Ａ）は、従来のスライド式のケーブル用コネクタの一例においてケーブルの一端がケーブル収容部内に挿入された状態を示す断面図である。（Ｂ）は、（Ａ）に示される例におけるケーブルの一端の接続が完了した状態を示す断面図である。
【符号の説明】
３０    ケーブル用コネクタ
３２    フレキシブル配線板
３４ａ    段差部
３４    裏板
３８    コネクタ本体部
４０    ケーブル収容部
４２ａｉ    コンタクト端子
４４    ストッパ部材
４４Ｍ    操作部
４４ａ    空間
４４Ｅ    端面
４６    プレート部材
４６Ｒ    位置規制部
４８Ａ、４８Ｂ    板ばね
【図１】
0003768170.tif 000002
【図２】
0003768170.tif 000003
【図３】
0003768170.tif 000004
【図４】
0003768170.tif 000005
【図５】
0003768170.tif 000006
【図６】
0003768170.tif 000007
【図７】
0003768170.tif 000008
【図８】
0003768170.tif 000009
【図９】
0003768170.tif 000010
【図１０】
0003768170.tif 000011
【図１１】
0003768170.tif 000012
【図１２】
0003768170.tif 000013
【図１３】
0003768170.tif 000014
【図１４】
0003768170.tif 000015
【図１５】
0003768170.tif 000016
【図１６】
0003768170.tif 000017
【図１７】
0003768170.tif 000018
【図１８】
0003768170.tif 000019
【図１９】
0003768170.tif 000020
【図２０】
0003768170.tif 000021
【図２１】
0003768170.tif 000022
【図２２】
0003768170.tif 000023